(57)【特許請求の範囲】
【請求項１】
貼付すべき被着体と同じ大きさで一面に粘着剤層３を有するラベル１と、該粘着剤層３を覆う上記ラベル１よりも大きな剥離紙４と、該剥離紙４の外面に上記ラベル１の外形状に対応して上記被着体の形状を表示した枠線５と、該剥離紙４の枠線５に位置合わせした上記被着体を、剥離紙４の一部を剥がして露出した粘着剤層３に貼着し、残りの剥離紙を剥がして全部を貼着するように上記剥離紙４を分けては剥がすための連続または不連続の切線を具備するタック紙。
【請求項２】
上記被着体が葉書、招待状または名刺である請求項１記載のタック紙。
【請求項３】
上記ラベル１は複数枚であり、それらのラベル１の粘着剤層３を一枚の剥離紙４が覆っている請求項１または２記載のタック紙。
【発明の詳細な説明】
【０００１】
【発明の属する技術分野】
本発明は、葉書や名刺などの表面に貼付して使用するタック紙に関する。
【０００２】
【従来の技術】
従来、パ−ソナルコンピュ−タ−、ワードプロセッサーなどの機器によって作成した各種文字や図形などの表示は、インクジェットプリンタ−、レーザープリンタ−等によって比較的容易にプリントすることができるが、特にインクジェットプリンタ−を使用して官製葉書などに直接プリントすると、インクが滲んで鮮明な表示を得ることができない。
【０００３】
こうしたことから、上記インクジェットプリンタ−にかけた際に鮮明な表示を得ることができるラベルを用意し、このラベルの表面に必要な表示を印刷してから、これを葉書に貼付けるようなものもあるが、粘着剤の付いているラベルを葉書の表面にキチンと貼付けることはなかなかに難しく、何かと不都合なことが多かった。
【０００４】
【発明が解決しようとする課題】
本発明は、葉書や名刺などの被着体とラベルを同じ大きさにすると共に、これを容易に葉書等に貼付けて、鮮明な表示が得られるようにしようとするものである。
【０００５】
【課題を解決するための手段】
本発明は、一面に粘着剤層を有し、他面に鮮明な表示を表わすことができるラベルを葉書、名刺その他の被着体と同じ大きさとし、このラベルの粘着剤層にはこれより大きな剥離紙を仮着し、この剥離紙の外面に上記ラベルの外形状に対応して被着体を表す枠線を表示し、この枠線に葉書等の外形状を合致させるようにして、上記剥離紙の一部を剥して粘着剤層の一部を露出させ、ラベルの一部を葉書に固定してから全体をキチンと貼付して、鮮明な表示を得るようにするものである。
【０００６】
【発明の実施の形態】
ラベル１の基材２の裏面には粘着剤層３を形成している。この基材２の表面は、各種のプリンタ−その他によって鮮明な表示をすることができるようにされている。
図に示すものは、カラ−インクジェットプリンタ−によって鮮明な表示を表わすことができるようにしており、また、その表面には適度の光沢を持たせていて、写真を印画紙に焼付けたような状態に仕上げることができる。
上記ラベルは、後にこれを貼付ける葉書、名刺などの被着体の被着部分の大きさと同じ大きさに形成されている。ここに本発明において上記同じ大きさとは被着体の被着部分と同一またはこれよりも寸法において約０〜６％程度小さいものを含むものである。
【０００７】
上記ラベル１の粘着剤層３の表面は、これよりやゝ大き目の剥離紙４によって覆われている。そして、この剥離紙４の外面には、上記ラベルの外形状に対応して被着体と同じ大きさの枠線５を表示している。
上記剥離紙４は、ラベルが葉書用などより大きなものの場合には、ラベル一枚毎に仮着するようにすることができるが、比較的小さなラベルの場合には複数枚のラベルを一枚の剥離紙に仮着するようにすることができる。
【０００８】
図示するものは、官製葉書に貼付するように形成されているラベルであって、一枚の剥離紙４に４枚分のラベル１が仮着されている。このものは、上記したように表面に適度の光沢を有する基材２の裏面に粘着剤層３を設けたＡ４判の大きさのラベル用の材料６に、同形の剥離紙４を仮着し、上記ラベル用材料に切込線７を設けて官製葉書よりも縦方向に約２mm、横方向に約1.５mm小さいラベル１を４枚分形成している。
【０００９】
この剥離紙４の外面には、上記ラベル１の外形状（図のものでは切込線７）に対応しつつ、このラベルよりもやゝ大きく官製葉書の大きさの枠線５を表示している。また、この剥離紙４の外面には、４枚のラベルを一枚づつ使用できるように切断用の案内線８を表示しており、更に判り易いようにハサミの図形９も表示している。そして、図において横方向の案内線は上記枠線が兼ねている。
更に、図のものでは上記剥離紙に、この剥離紙の一部を剥がして上記ラベル１の粘着剤層３の一部を露出することができるように、切込線１０を設けている。
【００１０】
このタック紙１１を使用する場合、マイクロコンピュ−タ−、ワ−ドプロセッサ−などを使用して、葉書に表わしたい表示を作成する。この場合、マイクロコンピュ−タ−を使用すれば、文字だけでなく、各種の図形や、写真なども取り込んで、多様な表示を作成することが可能となる。
コンピュ−タ−上で表示を作成したら、これを上記４枚分のラベルに表示できるように各々割付けて、プリンタ−から出力してラベルの表面に上記表示を印刷する。図のものでは上記したように、ラベル表面に適度の光沢を持たせているので、インクジェットプリンタ−によってプリントした場合に、滲みもなく、写真のようなものでも鮮明に表わすことができ、あたかも印画紙に焼付けたかのような体裁の良いものを得ることができる。
【００１１】
上記プリントが済んだら、剥離紙４の外面に表示されている案内線８に従って、ハサミやカッタ−でラベル一枚づつに切り分ける（図４）。切り分けたラベルは、剥離紙４に表示した枠線５に合わせるようにして葉書２１を置き、両者がずれないようにしながら、切込線１０によって剥離紙の一部４１を剥し露出された粘着剤層３に葉書を重ねるようにしてラベルの一部を葉書に貼り合わせる（図５、図６）。図のものでは、ラベルの切込線７の外側に不用な部分（いわゆるカス）があるので、これは予め取除いてから上記貼り合わせを行っている。
【００１２】
こうして両者の一部が貼り合わされたら、この部分を固定しながら残りの剥離紙４２を剥がして重ね合わせると（図７）、ラベルの全体を葉書にはみ出すこともなく、真直に、キチンと、葉書のほゞ全面を覆うように貼り付けることができ、葉書に鮮明な表示を表示することができる（図８）。
【００１３】
上記剥離紙４には、その一部を剥ぎ取る切込線１０を設けないこともあり、この場合には剥離紙の一部を折返してラベルの粘着剤層３の一部を露出させ、上記と同じようにして使用することができる。
このようなタック紙を使用しての表示は、上記した官製葉書、私製葉書、名刺の他、招待状、パネルその他各種の被着体に対する表示に広く用いることができる。
【００１４】
【発明の効果】
本発明は上記したように、剥離紙に表示してある枠線に葉書などの被着体を重ね合わせるようにすれば、表示のあるラベルと被着体の位置合せが容易にでき、その状態からラベルの粘着剤層の一部を露出させて貼り合わせ、更に、全体を貼り合わせることによって、被着体の材質を選ぶことなく、鮮明な表示を得ることができ、表示の効果を上げることができる。
【図面の簡単な説明】
【図１】  本発明の実施例を示す斜面図である。
【図２】  図１の背面図である。
【図３】  図１の厚みを拡大して表した断面図である。
【図４】  図１の１枚のラベル部分を切り除いた状態を示す背面図である。
【図５】  使用状態を示す斜視図である。
【図６】  葉書にラベルの一部を貼り合わせた状態の説明図である。
【図７】  図６に示す状態の次に、残りの剥離紙を剥がす状態を示す説明図である。
【図８】  ラベルを葉書に貼り合わせた状態の説明図である。
【符号の説明】
１  ラベル
２  基材
３  粘着剤層
４  剥離紙
５  剥離紙の外面の枠線
７  切込線
８  切断用の案内線
10  剥離紙の切込線
11  タック紙
21  葉書
41  剥離紙の一部
42  剥離紙の他部
【図１】
0003646279.tif 000002
【図２】
0003646279.tif 000003
【図３】
0003646279.tif 000004
【図４】
0003646279.tif 000005
【図５】
0003646279.tif 000006
【図６】
0003646279.tif 000007
【図７】
0003646279.tif 000008
【図８】
0003646279.tif 000009